(57)【特許請求の範囲】
【請求項１】
ハウジング（２）と、前記ハウジング（２）内に配されたエネルギー源（９）と、少なくとも１つの除毛ユニット（４、５、６）と、前記少なくとも１つの除毛ユニットに結合された少なくとも１つの電動装置と、を有し、前記少なくとも１つの除毛ユニットが、前記ハウジング（２）に移動可能に取り付けられ、前記少なくとも１つの電動装置の使用中に、前記少なくとも１つの電動装置（７）は、前記ハウジング（２）内に配された前記エネルギー源（９）に直接接続されておらず、前記少なくとも１つの電動装置（７）は、無線電力伝送システムによって前記ハウジング（２）内に配された前記エネルギー源に接続されており、前記無線電力伝送システムは、前記ハウジング内に配され、前記エネルギー源に結合された一次誘導コイル（１０ａ）と、前記少なくとも１つの除毛ユニットに配され、前記少なくとも１つの電動装置に結合された二次誘導コイル（１０ｂ）と、を備え、前記少なくとも１つの電動装置は、前記少なくとも１つの長毛トリマーユニット（５、６）上に取り付けられた、又は前記少なくとも１つの長毛トリマーユニット（５、６）と一体化された光源（７）であることを特徴とする、電動除毛デバイス。
【請求項２】
前記誘導コイル（１０ａ、１０ｂ）のうちの少なくとも１つは、１．５ｍｍ未満の厚みを有するフレキシブルプリント回路基板（１２）上に提供され、前記フレキシブルプリント回路基板は、前記ハウジングの少なくとも１つ、又は前記少なくとも１つの除毛ユニットに提供される、請求項１に記載のデバイス。
【請求項３】
前記一次誘導コイル（１０ａ）は、前記ハウジング（２）内に密閉された又はその一部として、フレキシブルプリント回路基板上に提供され、前記二次誘導コイル（１０ｂ）は、前記ハウジング（２）に対して可動の構成要素部分（６）内に密閉された、フレキシブルプリント回路基板上に又はフレキシブルプリント回路基板（１２）の一部として、提供される、請求項１または２に記載のデバイス。
【請求項４】
モータと、前記エネルギー源としての電池（９）を更に備え、前記一次誘導コイル（１０ａ）は、前記モータに隣接して又は前記電池（９）に隣接して配されたフレキシブルプリント回路基板上に提供される、請求項１〜３のいずれか一項に記載のデバイス。
【請求項５】
前記一次誘導コイル（１０ａ）は、細長い形状を有する、請求項１〜４のいずれか一項に記載のデバイス。
【請求項６】
前記二次誘導コイル（１０ｂ）は、少なくとも１つのＬＥＤユニット（７）を備えるフレキシブルプリント回路基板上に提供される、請求項１〜５のいずれか一項に記載のデバイス。
【請求項７】
前記ハウジングは、長手方向軸（Ｉ）を画定する細長いかみそりハウジング（２）であり、前記ハウジングに移動可能に取り付けられた前記少なくとも１つの除毛ユニットは、前記かみそりハウジング（２）上に配置され、前記かみそりハウジング（２）に対して移動可能な、少なくとも１つの長毛トリマーユニット（５、６）を備える、請求項１〜６のいずれか一項に記載のデバイス。
【請求項８】
前記少なくとも１つの長毛トリマーユニット（６）は、後退アイドル位置と延長動作位置との間で前記長手方向軸（Ｉ）に対して実質的に平行に前記ハウジング上で受容された軸方向にシフト可能なガイド部材によって前記ハウジングに移動可能に取り付けられ、前記少なくとも１つの光源（７）は、前記少なくとも１つの長毛トリマーユニット（６）と共に前記後退位置と前記延長位置との間で可動である、請求項７に記載のデバイス。
【請求項９】
前記少なくとも１つの光源（７）は、後退位置にあるときに、平面（Ｐ）の照射領域において２００ルクス〜２，０００ルクスの範囲の照度を有し、前記平面（Ｐ）は、前記少なくとも１つの短毛カッターユニット（４）の遠位縁部及び前記少なくとも１つの長毛トリマーユニット（６）の延長動作位置にあるときの遠位縁部によって画定され、並びに／又は前記少なくとも１つの光源（７）は、光スポットを生成し、前記光スポットは、その中心から境界に向かって１ｍｍごとに２分の１未満照度が減少する、請求項７又は８に記載のデバイス。
【請求項１０】
制御ユニットを更に備え、前記制御ユニットは、前記少なくとも１つの光源（７）が目視フィードバックをユーザに提供するように設計及び適合されている、請求項７〜９のいずれか一項に記載のデバイス。
【請求項１１】
前記少なくとも１つの電動装置は、前記ハウジング内に配された前記エネルギー源に直接物理的に接続されていない、請求項１〜１０のいずれか一項に記載のデバイス。
【請求項１２】
ハウジングと、前記ハウジング内に配されたエネルギー源と、少なくとも１つの短毛カッターユニット及び少なくとも１つの長毛トリマーユニットを含む少なくとも１つの除毛ユニットと、前記少なくとも１つの長毛トリマーユニットに結合された少なくとも１つの電動装置と、を有し、前記少なくとも１つの長毛トリマーユニットが、前記ハウジングに移動可能に取り付けられ、前記少なくとも１つの電動装置の使用中に、前記少なくとも１つの電動装置は、前記ハウジング内に配された前記エネルギー源に直接接続されておらず、前記少なくとも１つの電動装置は、無線電力伝送システムによって前記ハウジング内に配された前記エネルギー源に接続されており、前記無線電力伝送システムは、前記エネルギー源に結合された第１の無線電力伝送要素と、前記少なくとも１つの電動装置に結合された第２の無線電力伝送要素と、を備え、前記少なくとも１つの電動装置は、前記少なくとも１つの長毛トリマーユニット（５、６）上に取り付けられた、又は前記少なくとも１つの長毛トリマーユニット（５、６）と一体化された光源（７）であることを特徴とする、電動除毛デバイス。
【請求項１３】
前記少なくとも１つの短毛カッターユニット（４）は、上部カッターに対して直線的に振動する下部カッターを備え、前記上部カッターは、毛髪捕捉開口部を備えた屈曲剪断ホイルを備えることを特徴とする、請求項１２に記載のデバイス。
【発明の詳細な説明】
【技術分野】
【０００１】
本発明は、光源などの少なくとも１つの電動装置を有する、かみそり、毛又はあごひげ用はさみ、脱毛デバイスなどの電動除毛デバイスに関する。より詳細には、本発明は、かみそりハウジングと、ハウジング内に配されたエネルギー源と、少なくとも１つの除毛ユニットと、ハウジングに対して可動の光源と、を有する、電動かみそりに関する。
【背景技術】
【０００２】
デバイスのエネルギー源に直接接続された光源などの電動装置を備える除毛デバイスが知られている。例えば、脱毛器は、国際公開第２０１４／２０６８５２（Ａ１）号に開示されている。この脱毛器は、脱毛器上のその位置に関して調節可能であり、屈曲可能なコードを介して直接接続される光源を備える。更に、内部照明デバイス及び１つの長毛トリマーユニットを備える２つの短毛カッターユニットを備えるかみそりが、欧州特許第１３２６７３８（Ｂ１）号及び欧州特許第１３２６７３９（Ｂ１）号に開示されている。この内部照明デバイスは、有線接続によってエネルギー源に直接接続される。上述のデバイスにおける光源の使用は、デバイスの特定の動作モードを示すため、例えば、デバイスがオンにされていることを示すため、特定のモータ若しくはシェービングモードの指示のため、又はユーザの皮膚を照明して、毛の除去を促進するためのいずれかについて既知である。
【０００３】
光源などの電動装置のエネルギー源への直接接続は、電動装置がハウジング内に配置される、典型的には密封される必要があるか、又はハウジング及び電動装置を密封する特別な手間を必要とするかのいずれかである。特に、可動電動装置の密封は、より困難になる。
【先行技術文献】
【特許文献】
【０００４】
【特許文献１】国際公開第２０１４／２０６８５２（Ａ１）号
【特許文献２】欧州特許第１３２６７３８（Ｂ１）号
【特許文献３】欧州特許第１３２６７３９（Ｂ１）号
【発明の概要】
【発明が解決しようとする課題】
【０００５】
本開示の目的は、除毛デバイスなどの改良されたかみそりを提供することである。
【課題を解決するための手段】
【０００６】
本開示の一態様によれば、かみそりなどの電動除毛デバイスは、ハウジングと、ハウジング内に配されたエネルギー源と、少なくとも１つの除毛ユニットと、ハウジングに対して可動の、光源などの少なくとも１つの電動装置と、を備え得る。使用中に、少なくとも１つの電動装置は、ハウジング内に配されたエネルギー源に直接接続されない。本開示に関して、エネルギー源への非直接接続は、エネルギー源と電動装置との間のあらゆる直接配線、及びあらゆる間接配線、例えば、プリント回路基板などの電子部品を介したエネルギー源と電動装置との間の接続を除外することが理解される。換言すれば、エネルギー源への非直接接続は、例えばモータに電源供給するための、ハウジング内に備えられたエネルギー源ではない外部エネルギー源による無線電力伝送及び／又は電源供給を含み得る。エネルギー源は、電池、例えば、充電式電池、及び／又は外部電源への接続であってもよい。
【０００７】
本開示によるかみそりは、長手方向軸を画定する細長いかみそりハウジングと、少なくとも１つの短毛カッターユニットと、かみそりハウジング上に配置された少なくとも１つの長毛トリマーユニットと、光源のような少なくとも１つの電動装置と、を備え得る。かみそりハウジングの長手方向軸は、典型的には、遠位端、すなわち、かみそりの使用中にユーザの皮膚に面する端部から反対側の近位端に延び、遠位端は、かみそりヘッド及び／又は長毛カッターユニットを備える。少なくとも１つの電動装置又は器具（例えば、光源）は、長手方向軸に対して実質的に平行に後退位置と延長位置との間で可動であり得る。光源の代替として、電動装置は、熱源又はヒートシンク又は放射線源であってもよい。ユーザの皮膚に対する電動装置の位置の変化により、装置の強度を変化させることができる。例えば、光パターン及び／又は照射領域は、光源の軸位置に応じて変化してもよい。更に、ユーザの皮膚への熱伝達は、熱源又はヒートシンクとユーザの皮膚との間の距離に応じて変化し得る。
【０００８】
更なる詳細及び本発明の特徴は、図面と併せて、実施形態の以下の説明から得ることができる。
【図面の簡単な説明】
【０００９】
【図１】後退位置に光源を有する本発明の一実施形態によるかみそりの概略側面図を示す。
【図２】延長位置に光源を有する図１によるかみそりの概略側面図を示す。
【図３】図１によるかみそりの図を概略的に示す。
【図４】フレキシブルプリント回路基板の概略図を示す。
【図５】図１によるかみそりの代替的な図を概略的に示す。
【発明を実施するための形態】
【００１０】
本開示は、少なくとも１つの電動装置が、例えば間接無線接続によってハウジング内に配されたエネルギー源に直接接続されていないという考えに基づく。少なくとも１つの電動装置をハウジング内に配されたエネルギー源に間接的に接続するためのいくつかの代替案が存在する。これらの代替案としては、誘導結合（電磁誘導）、共振誘導結合（動電結合）、容量結合（静電誘導）による、又は磁気力学的結合による非放射式近距離技術、及び例えば、電波若しくはマイクロ波に基づく、放射式遠距離無線電力伝送技術が挙げられる（ただし、これらに限定されない）。このような間接接続は、ワイヤ接続によるハウジングに対する少なくとも１つの電動装置の移動の制限を回避する利点を有する。加えて、間接接続は、ハウジング及び少なくとも１つの電動装置の密封に関する利点を有し得る。
【００１１】
第１の代替案によれば、少なくとも１つの電動装置は、誘導コイルによってハウジング内に配されたエネルギー源に間接的に接続されてもよい。例えば、誘導コイルのうちの少なくとも１つは、１．５ｍｍ未満、好ましくは０．５ｍｍ未満、例えば約０．２ｍｍの厚みを有するフレキシブルプリント回路基板上に提供されてもよい。更に詳細には、一次誘導コイルは、ハウジング内に密封されたフレキシブルプリント回路基板上に提供されてもよく、二次誘導コイルは、ハウジングに対して可動の構成要素部分、例えば長毛トリマーユニット内に密封されたフレキシブルプリント回路基板上に提供されてもよい。換言すれば、二次誘導コイルは、一次誘導コイルに対して可動構成要素部分と共に軸方向に可動であってもよい。
【００１２】
かみそりなどの除毛デバイスは、典型的には、電動モータと、好ましくは充電式のエネルギー源としての電池とを備える。一次誘導コイルは、フレキシブルプリント回路基板上に、又はモータに隣接して（例えば、モータの下に）若しくは電池に隣接して（例えば、電池の下に）配された基板の一部として提供されてもよい。一次誘導コイルをモータの下に配置することは、一次誘導コイルを取り付けるために利用可能な空間が増えるという利点を有し得る。一次誘導コイルを電池の下に配置することは、モータとの干渉が少ないという利点を有し得る。
【００１３】
本開示の更なる態様によれば、一次誘導コイルは、二次誘導コイル及び電動装置の軸方向の移動に関係なく、その機能を確実にするための細長い形状を有し得る。加えて又は代替として、二次誘導コイルは、フレキシブルプリント回路基板上に又は少なくとも１つのＬＥＤユニットを備えた基板の一部として提供されてもよい。例えば、二次誘導コイルは、最良の効率のために円形コイルであってもよい。
【００１４】
本開示の更なる代替案によれば、少なくとも１つの電動装置は、電池などの追加のエネルギー源に接続されてもよい。この電池は、充電式電池であることができる。電池は、空の電池の交換が可能な解放可能の様式で、可動構成要素部分に備えられてもよい。電池は、モータ及びかみそりの電気部品を収容する主ハンドルハウジングの外部に提供されてもよい。例えば、追加のエネルギー源は、リチウムコインセルなどのコインセルであってもよい。追加のエネルギー源は、かみそりのモータを駆動するエネルギー源に加えて提供される。
【００１５】
長手方向軸を画定する細長いかみそりハウジングと、少なくとも１つの短毛カッターユニットと、かみそりハウジング上に配置された少なくとも１つの長毛トリマーユニットと、光源などの少なくとも１つの電動装置と、を備える、かみそりにおいて、少なくとも１つの長毛トリマーユニットは、長手方向軸に対して実質的に平行に後退アイドル位置と延長動作位置との間で可動であり得る。例えば、かみそりは、長毛トリマーユニットがその後退アイドル位置にあるときに、短毛カッターユニットのみを使用して操作されてもよく、一方、かみそりは、長毛トリマーユニットがその延長動作位置にあるときに、長毛トリマーユニットを主に使用して操作されてもよい。長毛トリマーユニットの位置のこの変化は、光源などの電動装置の移動に使用されてもよい。例えば、長毛トリマーユニットは、その軸方向移動中に電動装置を一緒に運ぶことができる。本開示の一例によれば、少なくとも１つの電動装置は、少なくとも１つの長毛トリマーユニットと共に後退位置と延長位置との間で可動であり得る。これは、電動装置が、長毛トリマーユニットの移動が電動装置の移動を引き起こすように長毛トリマーユニットに機械的に結合されている実施形態を含む。このような機械的結合は、長毛トリマーユニットに対して異なる方向及び／又は異なる速度での電動装置の代替の移動を引き起こすギアなどを含んでもよい。
【００１６】
電動かみそりの本開示のより詳細な実施形態では、少なくとも１つの電動装置は、少なくとも１つの長毛トリマーユニット上に取り付けられるか、又は一体化されている。これにより、電動装置及び長毛トリマーユニットの同一方向への同時移動がもたらされる。例えば、少なくとも１つの電動装置は、かみそりハウジングから外方を向く側で少なくとも１つの長毛トリマーユニット上に取り付けられてもよい。
【００１７】
上記の実施形態に関係なく、電動かみそり、例えば、上述のかみそりは、長手方向軸を画定する細長いかみそりハウジングと、少なくとも１つの短毛カッターユニットと、かみそりハウジング上に配置され、長手方向軸に対して実質的に平行に後退アイドル位置と延長動作位置との間で可動である、少なくとも１つの長毛トリマーユニットと、少なくとも１つの光源と、を備え、少なくとも１つの光源は、後退位置にあるときに、平面の照射領域において２００ルクス〜２，０００ルクスの範囲の照度を有し、この平面は、少なくとも１つの短毛カッターユニットの遠位縁部及び少なくとも１つの長毛トリマーユニットの延長動作位置にあるときの遠位縁部によって画定される。少なくとも１つの短毛カッターユニットの遠位縁部及び少なくとも１つの長毛トリマーユニットの延長動作位置にあるときの遠位縁部によって画定される平面は、典型的には、かみそりの使用中のユーザの皮膚に対応する。換言すれば、後退位置では、皮膚上の照度は、光スポット又は照射領域の中央領域において、２００ルクス〜２０００ルクスの範囲であってもよい。
【００１８】
かみそりの少なくとも１つの光源は、限定された開口角度を有する円錐形の光を放射してもよい。例えば、少なくとも１つの光源は、好ましくは細長い、楕円形、及び／又は半円形の形状に照射領域を成形するためのレンズなどの光学ユニットを備えてもよい。
【００１９】
更なる態様によれば、少なくとも１つの光源は、少なくとも１つの光スポットを生成し、光スポットは、その中心から境界に向かって１ｍｍごとに２分の１未満照度が減少することができる。換言すれば、光スポットの境界は、強いコントラストが回避されるように整形されてもよい。代わりに、照明の強度は、中央からの距離が増加するにつれて緩やかに減少する。減少は、例えば、１ｍｍごとに４分の１未満、好ましくは２分の１未満であり得る。
【００２０】
上記の実施形態に関係なく、電動かみそり、例えば、上述のかみそりは、長手方向軸を画定する細長いかみそりハウジングと、少なくとも１つの短毛カッターユニットと、かみそりハウジング上に配置され、長手方向軸に対して実質的に平行に後退アイドル位置と延長動作位置との間で可動である、少なくとも１つの長毛トリマーユニットと、少なくとも１つの光源と、を備え、かみそりは、少なくとも１つの光源が接続された制御ユニットを更に備え、制御ユニットは、少なくとも１つの光源が目視フィードバックをユーザに提供するように設計及び適合される。換言すれば、光はまた、かみそり中にユーザに光学フィードバックを与えるために使用してもよい。このフィードバックは、任意の所望の種類の情報をユーザに送達するために使用することができる。フィードバックは、強度、色、又は任意のオンオフ時間間隔の持続時間など、光の任意の特性を変更することによって行われてもよい。制御ユニットは、一次誘導コイル及び／又は電池などのエネルギー源に直接接続されてもよい。誘導技術による電力伝送もまた、データ転送を可能にし得る。したがって、例えば、異なるＬＥＤは、誘導インターフェースを介して制御ユニットによって活動化されてもよい。
【００２１】
より詳細には、制御ユニットは、かみそり構成要素の状態又は位置、あるいはかみそりの使用に関連する大きさを検出するための少なくとも１つのセンサ若しくは検出器を備えてもよく、又はそれぞれ少なくとも１つのセンサ若しくは検出器に接続されてもよく、制御ユニットは、少なくとも１つの光源がかみそり構成要素の状態若しくは位置又はかみそりの使用に関連する大きさを示す目視フィードバックをユーザに提供するように設計及び適合されている。そのようなかみそり関連の大きさは、例えば、かみそりで皮膚上に適用される力を含んでもよい。更に、これは、かみそりがオンにされるか又はオフにされるかにかかわらず、単純なフィードバックを含んでもよい。更に、これは、かみそりの動作モードに関するフィードバック、特定のモータ若しくはシェービングモードの指示、及び／又は電池の充電状態に関するフィードバックを含んでもよい。
【００２２】
かみそりの少なくとも１つの短毛カッターユニットには、上部カッターに対して直線的に振動する下部カッターが設けられてもよい。例えば、短毛カッターユニットは、欧州特許第１３２６７３９（Ｂ１）号に記載されているように設計されてもよく、すなわち、上部カッターは、毛髪捕捉開口部を備えた屈曲剪断ホイルを備える。少なくとも１つの長毛トリマーユニットは、欧州特許第１３２６７３９（Ｂ１）号に示唆されるように、２つの短毛カッターユニットの間に挟入されてもよい。本開示の一態様によれば、かみそりの少なくとも１つの長毛トリマーユニットは、互いに対して直線的に振動する２つのクリッピングくしを備える。少なくとも１つの長毛トリマーユニットは、少なくとも１つの短毛カッターユニットから横方向に間隙を介して配されてもよい。特に、長毛トリマーユニットは、少なくとも１つの短毛カッターユニットから独立して可動であり得る。
【００２３】
光源のオン／オフ状態を制御するための異なるシナリオが可能である。光源は、かみそり中に常にオンであってもよい。あるいは、かみそりがオンにされ、ユーザがスイッチをオン又はオフにすることができるとき、「オン」又は「オフ」のデフォルト状態を有することができる。更に、かみそりがオンにされると、光源は、最後のかみそりの終わりのときの状態になり得、ユーザは、それをオン又はオフに切り替えてもよい。
【００２４】
光のオンモードとオフモードとの間でトグルするために、別個のスイッチが長毛トリマーハウジング上に配される。より快適なオン／オフトグルは、例えば、光の電子コンパートメントに一体化された振動センサを介した自動切り替えによって達成することができる。このセンサは、かみそりモータの振動に反応する。そのため、光は、かみそりに同期してオン及びオフにされる。
【００２５】
所望により、ユーザは、光源によって放射された光の色を、好みに応じて適合させることができる。冷白色を介した温白色から青色までの範囲は、色の範囲の例である。
【００２６】
図１及び図２に示される実施形態では、かみそり１は、かみそり１の使用中に、近位端（図中左側）からユーザの皮膚に面する反対側の遠位端まで延びる長手方向軸Ｉを有するかみそりハウジング２を備える。長手方向軸Ｉは、使用中にかみそり１を保持するためのグリップを形成する細長いかみそりハウジング２の主延長部の配向を示す。図１及び図２は、わずかに屈曲した外側形状でかみそりハウジング２が描かれているのに対して、長手方向軸Ｉは直線である。
【００２７】
かみそり１は、かみそりハウジング２に対して可動であり得るかみそりヘッド３を備える。例えば、かみそりヘッド３は、長手方向軸Ｉに垂直な少なくとも１つの軸を中心に旋回することができる。図１及び図２に示される実施形態では、かみそりヘッド３には、２つの短毛カッターユニット４と、短毛カッターユニット４の間に挟入された長毛トリマーユニット５とを備えている。各短毛カッターユニット４は、毛髪捕捉開口部を備える、例えば、固定屈曲剪断ホイルの形態の上部カッターと、剪断ホイルに対して直線的に振動する一連の刃の形態の下部カッターと、を備える。長毛トリマーユニット５は、例えば、くし形の２つのクリッピング刃又はクリッピングカッターを備え、これらは互いに対して直線的に振動する。かみそりヘッド３は、かみそりハウジング２の長手方向軸Ｉに対して角度付けて配される。代替として、かみそりヘッド３は、例えば長手方向軸Ｉに対して主に平行に延びる、異なる配向を有してもよい。
【００２８】
追加の長毛トリマーユニット６は、（図１及び図２に見られるような）かみそりハウジング２の上部側面上に、かみそりヘッド３から横方向に間隔を開けて設けられている。追加の長毛トリマーユニット６は、互いに対して直線的に振動する２つのクリッピング刃を備える。図１及び図２の比較は、追加の長毛トリマーユニット６が、長手方向軸Ｉに対して主に平行なかみそりハウジング２に対して軸方向に可動であることを示している。図１は、長毛トリマーユニット６の後退アイドル位置を示すのに対して、図２は、長毛トリマーユニット６の延長動作位置を示す。
【００２９】
長手方向軸Ｉに対する長毛トリマーユニット６の主に平行な移動の代替として、長毛トリマーユニット６は、長手方向軸Ｉに対して実質的に平行な移動を行ってもよく、これは、わずかに湾曲した移動、及び／又は長手方向軸Ｉと長毛トリマーユニット６の移動の主方向との間の角度を含む移動を含んでもよい。追加の長毛トリマーユニット６は、例えば、かみそりハウジング２のそれぞれのトラック（図示せず）に受容された軸方向にシフト可能なガイド部材１１によって、かみそりハウジング２上でガイドされてもよく、後退位置（図１）及び／又は延長位置（図２）において解除可能に固定されてもよい。延長動作位置において短毛カッターユニット４のそれぞれの遠位縁部及び追加の長毛トリマーユニット６の遠位縁部によって画定された平面Ｐが、図２に示されている。この平面Ｐは、かみそり１の使用中のユーザの皮膚に相当する。
【００３０】
追加の長毛トリマーユニット６の軸方向移動は、長毛トリマーユニット６をオン及びオフに切り替えるために使用されてもよい。例えば、長毛トリマーユニット６は、かみそりの駆動モータ（図示せず）から後退状態で分離されてもよく、延長状態でこのような駆動モータに連結されてもよい。代替として、長毛トリマーユニット６は、かみそり１がオンに切り替えられたときに恒久的に動作してもよい。典型的には、かみそりヘッド３は、追加の長毛トリマーユニット６が後退位置にあるときに主に使用されるのに対し、追加の長毛トリマーユニット６は、追加の長毛トリマーユニット６が延長位置にあるときに主に使用される。
【００３１】
光源７は、追加の長毛トリマーユニット６上に設けられている。図１及び図２に示される実施形態では、光源７は、追加の長毛トリマーユニット６と一体化される。代替として、光源７は、例えば、追加の長毛トリマーユニット６上に解除可能に取り付けられてもよい。したがって、光源７は、上述のように軸方向に動く場合、追加の長毛トリマーユニット６によって一緒に運ばれる。更なる代替として、光源７は、好ましくは長手方向軸Ｉに対して実質的に平行に後退位置と延長位置との間で、追加の長毛トリマーユニット６から独立して動いてもよい。
【００３２】
光源７は、少なくとも１つのＬＥＤを含んでもよい。加えて、光源７は、所定の光分布パターンを生成するため及び／又は光をガイドするための、レンズ、光ダクトなどのような少なくとも１つの光学ユニットを備えてもよい。換言すれば、ＬＥＤは、ＬＥＤと光源７との間に光ダクトを挟入して、図１及び図２に光源７として示される位置から離れて配置されてもよい。したがって、光源７は、ＬＥＤなどであり得るか、又は光がかみそり１から放射される例示的な位置を示してもよい。
【００３３】
図１及び図２の実施形態に示すように、光源７は、限定された開口角度を有する円錐形の光を放射する。光円錐は、（図１及び図２に見られるように）異なって横方向及び垂直方向に延びるような形で整形される。光円錐の垂直延長部８は、例えば、以下のような寸法である。下にあごひげが支配的に成長する線があり、この線は、眼に対して数ｃｍの距離を有し得る。光円錐は、光源７によって照射される面上の領域が、ユーザがこの線までシェーブするときに眼の下に留まるような形で整形される。結果として、ユーザは、眼がくらまない。これは、例えば、異なる方向に異なるように焦点を合わせる光学素子によって達成され得る。このような特性を有する単純な光学系の例は、基本的に半円形断面を有する輪郭のような形状である光源７内のレンズを使用することによって実現される。
【００３４】
上述のように、光がかみそり１の光源７を離れる点は、皮膚への距離を変化させるために、かみそり本体に対してシフトされ得る要素上に取り付けられる。図１及び図２に示される実施形態では、かみそりの既存の可動要素又はシフト可能要素、すなわち、かみそりの追加の長毛トリマーユニット６が本明細書で使用される。しかしながら、本発明は、追加の長毛トリマーユニット６上又はその中に設けられた光源７を有する実施形態に限定されない。むしろ、光源７は、長手方向軸Ｉに対して実質的に平行に動く任意の他の好適な要素上に提供されてもよい。
【００３５】
光源７をシフト可能要素上に取り付けることにより、別の設定の可能性がもたらされる。図１に示される状況は、使用されていない長毛トリマーユニット６に対応するが、追加の長毛トリマーユニット６が使用されるとき、光は、新しい特性を得る。追加の長毛トリマーユニット６が皮膚に向かってシフトすると、光円錐は著しく短くなり、狭い皮膚領域のみを照射する。この領域は、追加の長毛トリマーユニット６が皮膚に触れる場所に非常に近い。光源７と皮膚との距離が小さいことにより、照明が集中し、明るく、正確になる。それは、以前に光源７の後退位置で与えられた照度値よりも強く上回る。これは、正確な形状を切断するなどの精密な作業のために良好に適合された照明である。したがって、追加の長毛トリマーユニット６の目的に十分に適合されている。これは、あごひげスタイルの特別な利点である。
【００３６】
加えて、ユーザの皮膚上での光特性の変化は、追加の長毛トリマーユニット６を後退アイドル位置から延長動作位置へ軸方向に動かすことによって、かみそり１の動作モードの変化に対応する。したがって、追加の長毛トリマーユニット６内又はその上に光源７を位置付けることにより、光源７によって照射される領域の光特性又はパターンを、かみそり１の動作モードの変化に自動的に適応させる。
【００３７】
図１及び図２に示される実施形態では、光源７によって照射される領域の光特性又はパターンは、主に光源７からユーザの皮膚までの距離によって影響される。しかしながら、加えて又は代替として、光源７によって照射される領域の光特性又はパターンは、追加の長毛トリマーユニット６の移動に応じて更に変化させることができる。例えば、追加の長毛トリマーユニット６の移動は、光源７の発光の強度及び／若しくは色の変化を引き起こし得、並びに／又は例えば、レンズ、シャッター、プリズム、若しくは開口のような１つ以上の光学ユニットの調節によって、光源７によって照射される領域のパターン若しくは形状の変化を引き起こし得る。
【００３８】
図３は、かみそりハウジング２内に配されたエネルギー源９から光源７への電力伝送を概略的に示す。この電力伝送は、かみそりハウジング２内に配された一次誘導コイル１０ａと、追加の長毛トリマーユニット６内に配された二次誘導コイル１０ｂとを有する誘導インターフェースを含む。一次誘導コイル１０ａ及び二次誘導コイル１０ｂは、フレキシブルプリント回路基板上に提供されてもよい。二次誘導コイル１０ｂ及び光源７としての２つのＬＥＤを含む、このようなフレキシブルプリント回路基板１２の設計の一例を図４に示す。一次誘導コイル１０ａは、二次誘導コイル１０ｂの軸位置に関係なく、すなわち、追加の長毛トリマーユニット６が後退位置にあるか、又は延長位置にあるかに関係なく、二次誘導コイル１０ｂとの間で電力伝送及び／又はデータ転送を可能にする細長い形状を有し得る。
【００３９】
代替として、図５は、コインセルのような追加のエネルギー源１３を有する追加の長毛トリマーユニット６を概略的に示す。換言すれば、光源７は、電池のような個々のエネルギー源を備えてもよい。
【００４０】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【図１】
0006882489.tif 000002
【図２】
0006882489.tif 000003
【図３】
0006882489.tif 000004
【図４】
0006882489.tif 000005
【図５】
0006882489.tif 000006